(57)【要約】【課題】両手がふさがっている場合や、体が不自由な人でも手軽に利用可能とする。【解決手段】情報を送信する送信機１１と、この送信機１１からの情報を受信する親機１２とで構成される。親機１２は、送信機１１からの情報を受信する通信モジュール１２Ｅ、周囲の人に知らせるためのチャイム音を発するメロディモジュール１２Ｆ、送信された情報を表示する液晶表示モジュール１２Ｃとを有する。送信機１１は、音声認識機能を有する音声モジュール１１Ｅと、この音声認識機能を利用してキーワードを記憶する記憶装置１１Ｃと、前記キーワードの音声入力で親機１２への送信機能を発揮する通信モジュール１１Ｄとを備える。【選択図】  図４
2008271350.tif 000002
【特許請求の範囲】
【請求項１】
情報を送信する第１の通信手段を有する送信機と、前記送信機からの情報を受信する親機とで構成され、前記親機は、前記送信機からの情報を受信する第２の通信手段と、周囲の人に知らせるためのチャイム音を発するメロディ手段とを有する音声認識機能付電子チャイムであって、
前記送信機は、前記第１の通信手段のほか、音声入力部を有し前記音声入力部を通じて入力される音声を認識する音声認識手段と、キーワードを記憶する第１の記憶手段と、前記音声認識手段及び第１の記憶手段に連係され前記キーワードの音声入力で、前記第１の通信手段を作動させて情報を送信する制御手段とを備えることを特徴とする音声認識機能付電子チャイム。
【請求項２】
前記制御手段は、前記情報に対し前記音声認識手段を通じて入力されるメッセージを付加する機能を有し、
前記親機は、前記メッセージを表示するための表示手段を備え、前記送信機からの情報を受信し前記情報に前記メッセージが含まれる場合にそのメッセージを前記表示手段によって表示する構成とされていることを特徴とする請求項１記載の音声認識機能付電子チャイム。
【請求項３】
前記親機は、前記メッセージを保存する第２の記憶手段を備えることを特徴とする請求項２記載の音声認識機能付電子チャイム。
【請求項４】
前記制御手段は、押しボタンを有し、前記キーワードの音声入力のほか、前記押しボタンの操作によっても前記第１の通信手段を作動させて情報を送信する構成とされていることを特徴とする請求項１〜３のいずれかに記載の音声認識機能付電子チャイム。
【発明の詳細な説明】
【技術分野】
【０００１】
本発明は、音声認識機能を利用した電子チャイムに関するものである。
【背景技術】
【０００２】
従来、情報を送信する第１の通信手段を有する送信機と、前記送信機からの情報を受信する親機とで構成され、前記親機は、前記送信機からの情報を受信する第２の通信手段と、周囲の人に知らせるためのチャイム音を発するメロディ手段とを有する電子チャイムが知られている。
【０００３】
そのような電子チャイムであって玄関と屋内との通話に用いるものとして、屋外の送信機での押しボタン式スイッチの操作により、その操作信号が屋内側に送られ、屋内の親機で、予め記憶されている音データがスピーカを通じて出力されるように構成される電子チャイムは知られている（例えば特許文献１参照）。
【特許文献１】特開２００４−１５３１３号公報（段落００３０〜００３８，００５２，００５３及び図１）
【発明の開示】
【発明が解決しようとする課題】
【０００４】
しかしながら、そのような特許文献１に記載の電子チャイムでは、押しボタン式スイッチの操作により、信号が屋内側に送信されるようになっているので、両手がふさがっている場合や、体が不自由な人は手軽に利用することができない。
【０００５】
本発明は、両手がふさがっている場合や、体が不自由な人でも手軽に利用することができる音声認識機能付電子チャイムを提供することを目的とする。
【課題を解決するための手段】
【０００６】
請求項１の発明は、情報を送信する第１の通信手段を有する送信機と、前記送信機からの情報を受信する親機とで構成され、前記親機は、前記送信機からの情報を受信する第２の通信手段と、周囲の人に知らせるためのチャイム音を発するメロディ手段とを有する音声認識機能付電子チャイムであって、前記送信機は、前記第１の通信手段のほか、音声入力部を有し前記音声入力部を通じて入力される音声を認識する音声認識手段と、キーワードを記憶する第１の記憶手段と、前記音声認識手段及び第１の記憶手段に連係され前記キーワードの音声入力で、前記第１の通信手段を作動させて情報を送信する制御手段とを備えることを特徴とする。
【０００７】
このようにすれば、送信機は、キーワードの音声入力で第１の通信手段を作動させて、前記親機へ情報を送信するので、両手がふさがっている場合や、体が不自由な人が利用する場合でも、手軽に利用することができる。
【０００８】
請求項２に記載のように、前記制御手段は、前記情報に対し前記音声認識手段を通じて入力されるメッセージを付加する機能を有し、前記親機は、前記メッセージを表示するための表示手段を備え、前記送信機からの情報を受信し前記情報に前記メッセージが含まれる場合にそのメッセージを前記表示手段によって表示する構成とすることも可能である。
【０００９】
このようにすれば、送信機からメッセージを含む情報を親機に対し、音声入力を利用して送信し、そのメッセージを、親機側において表示させることができる。
【００１０】
請求項３に記載のように、前記親機は、前記メッセージを保存する第２の記憶手段を備えることが望ましい。
【００１１】
このようにすれば、メッセージを忘れた場合でも、保存されているメッセージを呼び出すことで、そのメッセージを再度表示させて、確認することができる。
【００１２】
請求項４に記載のように、前記制御手段は、押しボタンを有し、前記キーワードの音声入力のほか、前記押しボタンの操作によっても前記第１の通信手段を作動させて情報を送信する構成とすることが望ましい。
【００１３】
このようにすれば、従来と同様に、押しボタンの操作によっても、送信することができる。
【発明の効果】
【００１４】
本発明は、上記のように、送信機において、キーワードの音声入力で第１の通信手段を作動させて、親機へ情報を送信するようにしたので、両手がふさがっている場合や、体が不自由な人が利用する場合でも、手軽に利用することができる。
【発明を実施するための最良の形態】
【００１５】
以下、本発明の実施の形態を図面に沿って説明する。
【００１６】
図１は本発明の実施の形態である音声認識機能付電子チャイムの概略構成図、図２は送信機のブロック図、図３は親機のブロック図である。
【００１７】
図１に示すように、音声認識機能付電子チャイム１は、情報を送信する送信機１１と、この送信機１１からの情報を受信する親機１２とで構成される。ここで、送信機１１と親機１２とは、隔壁などを隔てて離れた場所に設置して用いられるもので、例えば、(i)送信機１１を玄関に、親機１２を屋内にそれぞれ設置したり、(ii)送信機１１を病人が寝ている部屋に、親機１２を介護人のいる部屋にそれぞれ設置したりして用いられる。
【００１８】
送信機１１は、図２に示すように、制御手段としてのマイコン１１Ａのほか、押しボタン１１Ｂ、記憶装置１１Ｃ（第１の記憶手段）、通信モジュール１１Ｄ（第１の通信手段）および、音声モジュール１１Ｅ（音声認識手段）を有する。音声モジュール１１Ｅは、音声入力部としてのマイク１１Ｅａを有しこのマイク１１Ｅａを通じて入力される音声（キーワードやメッセージ）を、文字データとして認識するものである。記憶装置１１Ｃは、音声モジュール１１Ｅによって認識される音声（キーワードやメッセージ）を記憶するためのものである。通信モジュール１１Ｄは、情報を送信するためのものである。
【００１９】
この音声モジュール１１Ｅの音声認識機能によって、送信スイッチとして機能するキーワードや親機１２に送信したいメッセージが文字データとして認識される。よって、マイコン１１Ａにおいて、音声モジュール１１Ｅからの信号を受けて、音声入力された文字データと記憶装置１１Ｃにおいて予め記憶されているキーワードとが比較され、同一であると判定されると、そのキーワードの音声入力を送信スイッチとして、通信モジュール１１Ｄの送信アンテナ１１Ｄａを通じて、親機１２に対して情報が送信される。その際、キーワードの音声入力に続いて、情報としてメッセージが音声入力されていると、音声モジュール１１Ｅにおいて、音声認識され、前記送信に前記メッセージを含めて、送信される。ここで、押しボタン１１Ｂは情報を送信する際に押圧操作されるものである。
【００２０】
一方、親機１２も、図３に示すように、制御手段としてのマイコン１２Ａのほか、押しボタン１２Ｂ、液晶表示モジュール１２Ｃ（表示手段）、記憶装置１２Ｄ（第２の記憶手段）、通信モジュール１２Ｅ（第２の通信手段）およびメロディモジュール１２Ｆ（メロディ手段）を有する。液晶表示モジュール１２Ｃは、液晶ディスプレイ１２Ｃａを有するもので、この液晶ディプレイ１２Ｃａに送信機１１からの情報（メッセージなどを含む）を表示することができる。記憶装置１２Ｄは、送信機１１からの情報（メッセージなどを含む）を記憶するものである。通信モジュール１２Ｅは、送信機１１からの情報（信号）を受信アンテナ１２Ｅａを通じて受信するものである。メロディモジュール１２Ｆは、マイコン１２Ａからの信号により、情報を受信したことを周囲の人に報知し、注意を喚起させるためにスピーカ１２Ｆａを通じてチャイム音を発するものである。ここで、押しボタン１２Ｂは、記憶装置１２Ｄに記憶されているメッセージを表示させる場合などに押圧操作されるものである。また、記憶装置１２Ｄによって、受信した情報（メッセージ）を数件分、受信日時などとともに一定期間保存できるようになっている。
【００２１】
続いて、送信機１１におけるマイコン１１Ａの動作について、図２及び図４に沿って説明する。
【００２２】
スタートすると、まず、押しボタン１１Ｂの操作による押しボタン入力があるか否かが判定され（ステップＳ１）、押しボタン入力がある場合には、メッセージの登録モードとなり、記憶装置１２Ｄへのメッセージの登録処理が開始され（ステップＳ２）、登録開始から一定時間経過したタイムアウトであるか否かが判定される（ステップＳ３）。なお、このタイムアウトまでに要する時間は、ディップスイッチなどで設定され、メッセージの登録処理（録音処理）が完了すると考えられる設定時間（一定時間）である。
【００２３】
前記メッセージの登録処理は、送信機１１のマイク１１Ｅａを通じて入力される音声が、音声モジュール１１Ｅの音声認識機能によって文字を表示できるデータに変換され、記憶装置１１Ｃに記憶（登録）されることを意味する。
【００２４】
そして、タイムアウトであれば、メッセージ（記憶装置１２Ｄに記憶された文字を表示できるデータ）があるかどうかが判定され（ステップＳ４）る。一方、タイムアウトでなければ、タイムアウトになるまで、前述したメッセージの登録処理が継続される。
【００２５】
ステップＳ４の判定で、メッセージがあれば、メッセージを含む情報を送信するメッセージ付きのデータ送信処理が実行される（ステップＳ５）一方、メッセージがなければ、メッセージなしの情報を送信するデータ送信処理が実行され（ステップＳ６）、ステップＳ１に戻る。これらのデータ送信処理は、通信モジュール１１Ｄの送信アンテナ１１Ｄａを通じて送信することで実行される。
【００２６】
一方、ステップＳ１において、押しボタン入力がない場合には、音声モジュール１１Ｅでの音声認識の結果から、キーワード受信（つまり、キーワードの音声入力）があるか否かが判定される（ステップＳ７）。そして、キーワード受信がある場合には、ステップＳ２に移行して、前述した場合と同様に、メッセージの登録処理が実行される一方、キーワード受信がなければ、ステップＳ１に戻る。このように、押しボタン入力がなく、キーワード受信がある場合には、そのキーワード受信が送信を開始するスイッチとなり、押しボタン１１Ｂの操作をしなくても、親機１２へ、メッセージなどを含む情報が送信される。
【００２７】
次いで、親機１２におけるマイコン１２Ａの動作について、図３及び図５に沿って説明する。
【００２８】
スタートすると、まず、送信機１１からの情報を、通信モジュール１２Ｅの受信アンテナ１２Ｅａを通じて受信したか否かが判定され（ステップＳ１１）、情報を受信していれば、その受信を報知するためにメロディモジュール１２Ｆに信号が送られ、チャイム鳴動処理を実行する（ステップＳ１２）。つまり、メロディモジュール１２Ｆのスピーカ１２Ｆａによって、情報を受信したことを周囲に確実に報知するためにチャイム音が出力される。一方、情報を受信していなければ、チャイム鳴動の必要がないので、ステップＳ１１の判定が繰り返される。つまり、送信機１１からの情報を受信可能である待機状態が維持される。ここで、チャイム音の鳴動だけでなく、液晶ディスプレイ１２Ｃａを点滅させたりすることもできる。また、ＬＥＤ（図示せず）を設け、情報を受信したときに前記ＬＥＤを点灯あるいは点滅させたりすることもできる。
【００２９】
チャイム鳴動処理の後、メッセージ登録があるか否かが判定され（ステップＳ１３）、メッセージ登録があれば、液晶ディスプレイ１２Ｃａにメッセージを表示するメッセージ表示処理が実行され（ステップＳ１４）、メッセージが表示されるが、メッセージ登録がなければ、ステップＳ１１に戻る。よって、送信機１１側において、メッセージ登録がなければ。親機１２においてチャイム音が鳴動するだけとなる。
【００３０】
前記実施の形態のほか、本発明は、次のように変更して実施することも可能である。
【００３１】
(i)前記キーワード（音声）は、予め登録されるもので、前記キーワードは複数個設定することも可能である。キーワードが複数個ある場合にはそのキーワードの種類に応じて、メロディモジュール１２Ｆが発生するメロディ（チャイム音）を変更することも可能であるし、ＬＥＤを複数個設けて、キーワード毎に点灯するＬＥＤを変えるようにすることもできる。
【００３２】
(ii)前記実施の形態では、押しボタン入力時であっても、キーワードの音声入力時でも、メッセージ登録処理が実行されるようにしているが、本発明はそれに限定されるものではなく、例えばキーワードの音声入力時のみ、メッセージ登録処理を実行する構成とすることも可能である。
【００３３】
(iii)前記実施の形態では、１つの親機に対し１つの送信機が設けられているだけであるが、そのほか、例えば図１において一点鎖線で示すように、１つの親機に対し複数の送信機を設ける構成とすることもできる。この場合には、各送信機に個体識別番号が設定され、親機において、前記個体識別情報に基づき、いずれの送信機からの送信であるかを判別することができる。さらに、チャイム音の鳴動やＬＥＤの点灯も、送信機毎に変え、チャイム音やＬＥＤによっていずれの送信機からの送信であるかを聴覚的あるいは視覚的に判別できるようにすることも可能である。
【図面の簡単な説明】
【００３４】
【図１】本発明の実施の形態である音声認識機能付電子チャイムの概略構成図である。
【図２】送信機のブロック図である。
【図３】親機のブロック図である。
【図４】送信機の動作フローを示す図である。
【図５】親機の動作フローを示す図である。
【符号の説明】
【００３５】
１    電子チャイム
１１    送信機
１１Ｂ    押しボタン
１１Ｄ    通信モジュール
１１Ｅ    音声モジュール
１２    親機
１２Ｃ    液晶表示モジュール
１２Ｄ    記憶装置
１２Ｅ    通信モジュール
１２Ｆ    メロディモジュール
【図１】
2008271350.tif 000003
【図２】
2008271350.tif 000004
【図３】
2008271350.tif 000005
【図４】
2008271350.tif 000006
【図５】
2008271350.tif 000007